(57)【要約】【課題】生簀料理店をはじめ，外食産業界や一般家庭でも，新鮮なイカ料理に対する需要は非常に多い。そのため，水揚げされたイカは出来るだけ活き活きした状態で輸送し，活かして保存し，客の食膳に供する必要がある。【解決手段】活きイカの墨袋を，予め切り裂いて墨を排出させてから，船や車の水槽で輸送し，或いは料亭等の水槽で活かして保存する。そうすると，イカは水槽内で墨を吐かないので，イカ墨がイカの水中呼吸用のエラに付着して呼吸活動を妨げることがなく，水槽内のイカは，活き活きした状態で長期間活きつづけることが出来る。【選択図】図１
2005058199.tif 000002
【特許請求の範囲】
【請求項１】
活きイカの墨袋を切り裂いて，墨を排出させた後，水槽内で活かすことを特徴とする活きイカの保存方法
【請求項２】
活きイカの墨袋を切り裂いて，墨を排出させた後，水槽内で活かして輸送することを特徴とする活きイカの輸送方法
【請求項３】
前記水槽内を水が流通出来るように仕切って複数の区画を設け，イカとは別の区画に魚を入れ，同じ水槽で保存，輸送することを特徴とする請求項１，２記載の活きイカの輸送，保存方法
【請求項４】
活きイカの腹側の外套膜と漏斗との間にスペーサーを挿入し，活きイカの内部観察と刃物挿入を容易にして活きイカの墨袋を切り裂くことを特徴とする請求項１，２，３記載の活きイカの輸送，保存方法
【請求項５】
請求項１，２，３，４において，先端に刃物を備えた棒状体が，保護筒の中に収納され，前記棒状体の後部を押すことによって，前記刃物を前記保護筒の先端から突出させ得ることを特徴とするの活きイカの墨袋を切り裂く為の道具
【請求項６】
請求項５において，ファイバースコープとライトの内，少なくともファイバースコープを備えたことを特徴とする活きイカの墨袋を切り裂く為の道具
【請求項７】
請求項１，２，３，４において，２枚の刃物を枢着した鋏みであって，前記２枚の刃物の枢軸から先端までの長さが異なることを特徴とする活きイカの墨袋を切り裂く為の道具
【請求項８】
請求項７において，２枚の刃物の内長い方の刃物の先端部に，保護キャップ，ライト，ミラーの内，少なくとも何れかを備えたことを特徴とする活きイカの墨袋を切り裂く為の道具
【請求項９】
請求項４において，活きイカの腹側の外套膜と漏斗との間に挿入して，活きイカの内部観察と刃物挿入を容易にする為の，筒状又は軸方向に切断された筒状のスペーサーであることを特徴とする活きイカの墨袋を切り裂く為の道具
【発明の詳細な説明】
【技術分野】
【０００１】  本発明は，食用のイカ（特に大型のあおりイカ，カミナリイカ他）を，必要な期間，水槽内で生かし，保存又は輸送する方法及びその為の道具に関する。
【背景技術】
【０００２】  生簀料理店を始め，外食産業界や一般家庭でも，新鮮なイカ料理に対する需要は多い。そのため，水揚げされたイカは出来るだけ活き活きした状態で輸送し，料亭等の水槽に活かして保存し，客の食膳に供する必要がある。
【発明の開示】
【発明が解決しようとする課題】
【０００３】  イカは，活きた状態で水揚げしても，網にかかった時，生命の危険を感じた時，小さな水槽に多数のイカを入れてストレスが高まった時，或いは他のイカや魚と接触した時等，不安な状態に置かれると，その内臓にある墨袋から真っ黒な墨を吐出し，自己防衛を図る習性がある。そして，吐出された墨は，敵を攻撃するだけでなく，イカ自身の水中呼吸用のエラに付着し，呼吸活動を妨げ，自身の生命力も弱めている。更に，同じ水槽内の他の魚のエラにも付着して呼吸活動を妨げ，その生命力にも悪影響を及ぼしている。これが，イカを船内や陸上の水槽で活かして輸送すること，あるいは，料亭の水槽で料理に供するために活かしておくことの大きな妨げになっていた。特に，大型で墨袋の大きいあおりイカやカミナリイカ等では致命的な問題となっていた。
【課題を解決するための手段】
【０００４】  本発明の請求項１に係る発明は，活きイカの墨袋を切り裂いて，墨を排出させた後，水槽内で活かす活きイカの保存方法である。【０００５】  本発明の請求項２に係る発明は，活きイカの墨袋を切り裂いて，墨を排出させた後，水槽内で活かして輸送する活きイカの輸送方法である。【０００６】  本発明の請求項３に係る発明は，請求項１，２の活きイカの輸送，保存方法において，水槽内を水が流通出来るように仕切って複数の区画を設け，イカとは別の区画に魚を入れ，同じ水槽で保存，輸送する活きイカの輸送，保存方法である。【０００７】  本発明の請求項４に係る発明は，請求項１，２，３において，活きイカの腹側の外套膜と漏斗との間にスペーサーを挿入し，活きイカの内部観察と刃物挿入を容易にして活きイカの墨袋を切り裂く活きイカの輸送，保存方法である。【０００８】  本発明の請求項５に係る発明は，請求項１，２，３，４における活きイカの墨袋を切り裂く為の道具であって，先端に刃物を備えた棒状体が，保護筒の中に収納され，前記棒状体の後部を押すことによって前記刃物を前記保護筒の先端から突出させ得るものである。【０００９】  本発明の請求項６に係る発明は，請求項５において，ファイバースコープとライトの内，少なくともファイバースコープを備えたものである。【００１０】  本発明の請求項７に係る発明は，請求項１，２，３，４における活きイカの墨袋を切り裂く為の道具であって，２枚の刃物を枢着した鋏みの，前記２枚の刃物の枢軸から先端までの長さが異なるものである。【００１１】  本発明の請求項８に係る発明は，請求項７において，２枚の刃物の内長い方の刃物の先端部に，保護キャップ，ライト，ミラーの内，少なくとも何れかを備えたものである。【００１２】  本発明の請求項９に係る発明は，請求項４における活きイカの墨袋を切り裂く為の道具であって，活きイカの腹側の外套膜と漏斗との間に挿入して，活きイカの内部観察と刃物挿入を容易にする為の，筒状又は軸方向に切断された筒状のスペーサーである。
【発明の効果】
【００１３】  本発明の請求項１に係る発明の方法では，水槽に入れるイカの墨袋を，予め切り裂くことによって，ほとんどの墨を排出させることが出来る。更に，切り裂かれた墨袋は収縮力がなくなるので，わずかに残った墨も吐出すことが出来なくなる。その為，イカ墨がイカの水中呼吸用のエラに付着して呼吸活動を妨げることがなくなる。なお，墨袋は，イカの生命維持には直接関係がなく，切り裂く際に他の臓器を傷つけないようにすれば，その活力を殺ぐことはない。このようにして，水槽内のイカは長期間活きつづけることが出来るようになる。また，比較的小さな水槽で多数のイカを活かして保存することも出来るようになる。従って，料亭等で，常に新鮮なイカ料理を客に提供することが可能になる。【００１４】  本発明の請求項２に係る発明の方法では，イカの墨袋を予め切り裂いて，墨を排出させてから水槽に入れて輸送する。従って，００１３欄記載のように，イカは長期間活きるので，遠方まで輸送出来るようになる。また，比較的小さな水槽に多数のイカを入れて，低コストで輸送することも可能になる。【００１５】  本発明の請求項３に係る発明の方法では，水槽内に水の流通可能な複数の区画を設け，墨抜き活きイカとは別の区画に魚を入れ，イカと同じ水槽で保存，輸送する。この場合，イカ墨がイカばかりでなく魚の水中呼吸用のエラに付着して呼吸活動を妨げることもない。その為，網等の簡単な仕切りを設けるだけで，同じ水槽内で多種多数のイカや魚を活かしておくことが出来る。従って，客の食膳に常に新鮮なイカ料理や魚料理を提供することが出来る。また，多種多数のイカや魚を遠方まで，低コストで輸送することが可能となる。【００１６】  本発明の請求項４に係る発明の方法では，活きイカの腹側の外套膜と漏斗との間にスペーサーを挿入して活きイカの墨袋を切り裂く。スペーサーを挿入することにより，活きイカの内部観察と刃物挿入が容易になり，墨袋以外のイカの内臓を傷つけることが無く，イカの活力を弱めることなく墨袋を切り裂く処置をすることが出来る。【００１７】  本発明の請求項５に係る発明の，活きイカの墨袋を切り裂く為の道具では，保護筒内に収納された刃物をイカの体内へ挿入し，墨袋に達してからはじめて，保護筒から刃物を突出させて墨袋を切り裂き，その後は再び保護筒内に収納してイカの体内から引き抜くので，墨袋以外のイカの内臓を傷つけることが無い。従って，イカの活力を弱めることなく墨袋を切り裂く処置をすることが出来る。【００１８】  本発明の請求項６に係る発明の，活きイカの墨袋を切り裂く為の道具では，請求項５の保護筒付き刃物に，ファイバースコープとライトの内，少なくともファイバースコープを備えている。従って，より正確にイカの内部観察が出来るようになり，より安全にイカの墨袋を切り裂く処置をすることが出来る。【００１９】  本発明の請求項７に係る，活きイカの墨袋を切り裂く為の道具は，２枚の刃物の長さが異なる鋏みであり，比較的小型のイカの墨袋を切り裂く処置に適している。【００２０】  本発明の請求項８に係る，活きイカの墨袋を切り裂く為の道具は，請求項７の２枚の刃物の長さが異なる鋏みの長い方の刃物の先端部に，保護キャップ，ライト，ミラーの内，少��くとも何れかを備えているので，より正確，安全にイカの墨袋を切り裂く処置をすることが出来る。【００２１】  本発明の請求項９に係る，活きイカの墨袋を切り裂く為の道具は，活きイカの腹側の外套膜と漏斗との間に挿入して，活きイカの内部観察と刃物挿入を容易にする為の筒状又は軸方向に切断された筒状のスペーサーである。挿入したスペーサーの内側や外側周辺の隙間から，イカの内部を観察し，墨袋を確認した後刃物を挿入することが出来るので，墨袋以外のイカの内臓を傷つけることなく，又イカの活力を弱めることなく墨袋を切り裂く処置をすることが出来る。
【発明を実施するための最良の形態】
【００２２】  本発明の実施の形態として，活きイカの保存，輸送方法に関する実施例１及びその為の道具に関する実施例２〜６を説明する。
【実施例１】
【００２３】  図１はイカの墨袋を切り裂いている状況を示す説明図である。１はイカ，２は刃物，３は墨袋，４はエラ（肺臓），５は肝臓である。【００２４】  魚市場や漁業共同組合等の活きイカの水揚げ場所において，作業者は，イカ１の生命維持に必要なエラ４や肝臓５等の臓器を傷つけないように注意しながら，イカ１の体内へ刃物２を挿入し，墨袋３を切り裂く。墨袋３を切り裂いたイカは，墨を充分に排出し，墨を洗い落す為に海水に浸漬して引き上げ，輸送用の船や車の水槽へ入れる。船や車は，墨抜き活きイカを速やかに消費地へ輸送し，料亭等の水槽に入れ，活かして保存する。船，車，料亭等の水槽では，網等で簡単な仕切りを設けて，墨抜き活きイカとは別の区画に他の魚を入れて同一水槽で輸送，保存しても良い。
【実施例２】
【００２５】  図２は活きイカの墨袋を切り裂く為の保護筒付き刃物の側断面図で，刃物が保護筒内に収納された状態，図３は同じく保護筒付き刃物の側断面図で，刃物が保護筒から突出した状態を示す。１１は保護筒付き刃物で，先端に刃物１２を取り付けられた棒状体１３が保護筒１４に摺動可能に挿設されている。１５はバネ，１６は把手，１７はストッパー，１８は回り止めのキーである。【００２６】  作業者は図１のイカ１の体内へ保護筒付き刃物１１を挿入する。この時，保護筒付き刃物１１の刃物１２は保護筒１４内に収納されていて，イカの生命維持に必要なエラ４や肝臓５等の臓器を傷つけることがない。保護筒１４の先端がイカ１の墨袋３に達してからはじめて，把手１６を押して刃物１２を保護筒１４の先端から突出させ，墨袋３を切り裂く。切り裂いた後把手１６押すのを止めると，刃物１１はバネ１５の力で再び保護筒１４内に収納され，他の臓器を傷つけることなく保護筒付き刃物１１を引き抜くことが出来る。
【実施例３】
【００２７】  図４は，図３の保護筒付き刃物に，ファイバースコープを取り付けた図である。１９はファイバースコープ，１９ａは観察窓，１９ｂは照明窓である。【００２８】  作業者は，実施例２の要領で，保護筒付刃物１１をイカ１の体内に挿入して，墨袋３を切り裂く。この時，イカ１の体内を，ファイバースコープ１９の先端の照明窓１９ｂの光で照らし，観察窓１９ａで観察しながら，作業を行なうことが出来るので，それ程の熟練者でなくても，より正確，安全に墨袋３を切り裂くことが出来る。なお，キャップライト等他の照明手段を用いれば，照明窓１９ｂを無くし，ファイバースコープ１９をより細く，安価にすることも出来る。
【実施例４】
【００２９】  図５はイカの墨袋を切り裂く為の道具としての鋏みの正面図である。２１は鋏み，２２は長い刃物，２３は短い刃物，２４は枢軸，２５はガード，２６ａ，２６ｂは把手である。【００３０】  作業者は，２枚の刃物２２と２３を閉じた状態で，鋏み２１をイカ１の体内へ挿入する。この時，長い刃物２２の先端にガード２５が付いているので，エラ４等の臓器を傷つけることが防止される。長い刃物２２の先端のガード２５が，墨袋３に達したところで，刃物２２，２３を開き，他の内臓を傷付けないように注意しながら，短い刃物２３の先端で，墨袋３を突き破り，その後，２枚の刃物２２と２３で墨袋３を切り裂いて行く。
【実施例５】
【００３１】  図６は，図５の鋏みの長い方の刃物の先端に保護キャップとミラーを取り付けたものである。２７は保護キャップ，２８はミラーである。更に，長い方の刃物の先端にはライトを取り付けても良い。【００３２】  作業者は，実施例４の要領で鋏み２１をイカ１の体内に挿入して，墨袋３を切り裂く。この時，保護キャップ２７が一層確実にエラ４等の臓器を傷つけることを防止する。また，ミラー２８で観察しながら，作業を行なうことが出来るので，それ程の熟練者でなくても，より正確，安全に墨袋３を切り裂くことが出来る。更に，長い方の刃物の先端にライトを設けると安全性は一層高まる。
【実施例６】
【００３３】  最後に，図１と図７を用いて実施例６を説明する。図１はイカの墨袋を切り裂いている状況を示す説明図であるが，同図において，１はイカ，６は外套膜，８は貝殻，９は頭部，１０は漏斗である。７はスペーサーであり，図７はスペーサーの詳細図で，（ａ）は斜視図，（ｂ）は平面図である。スペーサー７は，透明なビニール管を切断した短い筒状で，軸方向の切断７ａを有する場合もある。【００３４】  作業者は，イカ１の貝殻８を下にしてまな板の上に置く。活きイカ１が外套膜６を動かして呼吸する時，外套膜６と頭部９又は漏斗１０との間に隙間が出来るので，素早く，その隙間に短い筒状のスペーサー７を差し込む。そうすると，スペーサー７の内側や外側周辺の隙間からイカ１の内部を観察して墨袋３を確認出来るので，正確，安全に刃物２を挿入し，墨袋３を切り裂くことが出来る。スペーサー７は弾力のあるビニール管で，活きイカ１の呼吸作用で外套膜６が運動し，頭部９又は漏斗１０との間の隙間が拡大収縮しても，スペーサー７はそれに応じて変形し，活きイカ１の内臓に負担を与えずその活力を殺ぐことなく視野を確保することが出来る。更に，スペーサー７が軸方向の切断７ａを有している場合は，外套膜６の運動に一層柔軟に対応して変形する。
【図面の簡単な説明】
【００３５】
【図１】イカの墨袋を切り裂いている状況を示す説明図である。
【図２】活きイカの墨袋を切り裂く為の保護筒付き刃物の側断面図で，刃物が保護筒内に収納された状態である。
【図３】活きイカの墨袋を切り裂く為の保護筒付き刃物の側断面図で，刃物が保護筒から突出した状態である。
【図４】図３の保護筒付き刃物に，ファイバースコープを取り付けた図である。
【図５】イカの墨袋を切り裂く為の道具としての鋏みの正面図である。
【図６】図５の鋏みの長い方の刃物の先端に保護キャップとミラーを取り付けた図である。
【図７】スペーサーの詳細図で，（ａ）は斜視図，（ｂ）は平面図である。
【符号の説明】
【００３６】  １・・・イカ
２・・・刃物
３・・・墨袋
４・・・エラ（肺臓）
５・・・肝臓
６・・・外套膜
７・・・スペーサー
７ａ・・・軸方向の切断
８・・・貝殻
９・・・頭部
１０・・・漏斗
１１・・・保護筒付き刃物
１２・・・刃物
１３・・・棒状体
１４・・・保護筒
１５・・・バネ
１６・・・把手
１７・・・ストッパー
１８・・・キー
１９・・・ファイバースコープ
１９ａ・・観察窓
１９ｂ・・照明窓
２１・・・鋏み
２２・・・長い刃物
２３・・・短い刃物
２４・・・枢軸
２５・・・ガード
２６ａ・・・把手
２６ｂ・・・把手
２７・・・保護カバー
２８・・・ミラー
【図１】
2005058199.tif 000003
【図２】
2005058199.tif 000004
【図３】
2005058199.tif 000005
【図４】
2005058199.tif 000006
【図５】
2005058199.tif 000007
【図６】
2005058199.tif 000008
【図７】
2005058199.tif 000009